(57)【要約】  【課題】デジタル信号とアナログ信号が混在する状況における受信機において、各信号の検出機能の実現を課題としている。  【解決手段】  本発明の受信機は、所定の処理が施された信号が入力され、当該入力信号について同期処理を施す同期処理手段を有する受信機において、前記同期処理の結果情報を報知する同期情報報知手段と、前記入力信号の強度情報を報知する強度情報報知手段とを備えている。前記同期情報報知手段は前記同期情報を視覚的情報で表示し、前記強度情報報知手段は前記強度情報を視覚的情報で表示するように構成されている。【選択図】      図１
2006238411.tif 000002
【特許請求の範囲】
【請求項１】
所定の処理が施された信号が入力され、当該入力信号が目的の信号であるか否かを識別す
る信号識別手段を有する受信機において、
前記信号識別手段による識別結果を報知する識別結果報知手段と、
前記入力信号の強度情報を報知する強度情報報知手段と
を備えていることを特徴とする受信機。
【請求項２】
前記識別結果報知手段は前記識別結果を視覚的情報で表示し、
前記強度情報報知手段は前記強度情報を視覚的情報で表示するように構成されていること
を特徴とする請求項１に記載の受信機。
【請求項３】
前記識別結果と前記強度情報とを表示する一つの表示手段を備えていることを特徴とする
請求項２に記載の受信機。
【請求項４】
前記識別結果と前記強度情報とに基づいて、受信中の当該周波数が使用するのに適切であ
るか否かを判断する判断手段を備えていることを特徴とする請求項１〜３の何れか１項に
記載の受信機。
【発明の詳細な説明】
【技術分野】
【０００１】
本発明は、受信機に関するものであり、特には、デジタル信号とアナログ信号とが混在する状況下でデジタル信号を受信し復調する機能を有した受信機に関するものである。
【背景技術】
【０００２】
従来この種の受信機としては、アンテナから入力された信号から所望の周波数の高周波信号が抽出され、所定の処理が施された後、同期・復調処理部に入力されるように構成されたものがある。そして、同期・復調処理部では、入力された信号について、同期処理を施し、同期が確立されれば復調処理して音声信号として出力されるように構成されている。
ところで、この種の受信機には、受信した信号レベルを検出する信号レベル検出部を備えているものがある。例えば、特開2003-234977号（特許文献１）で開示された受信機は、同期検出回路部の前段に信号強度を検出する信号レベル検出回路を備えている。
【０００３】
【特許文献１】特開2003-234977号公報
【発明の開示】
【発明が解決しようとする課題】
【０００４】
前述したように、この種の受信機では、同期・復調処理部において同期が確立されたデジタル信号のみが復調され、音声として出力される。
一方、受信レベル検出回路は、同期が確立される信号のみならず、同期が確立されない信号も検出する。
特に、デジタル信号とアナログ信号が混在する状況下では、受信レベル検出回路は、所望のデジタル信号のみならず、当該周波数近辺のアナログ信号をも検出するので様々な不具合が生じる。
例えば、デジタル信号で通話中に通話状況が悪化した場合、単に受信レベル検出回路で示される信号強度を確認しても、その強度が目的の信号のものであるのか、それ以外のものであるのかが不明であるので、原因を容易に特定することができない。
また、所望の周波数の使用状況を受信レベル検出回路で確認する場合、単に信号強度のみでは、その使用状況を正確に把握することは困難である。
なお、同期がとれた場合のみ、信号強度を検出し、表示する技術も提案されているが、このような技術では、所望の周波数近傍において、目的とする信号以外である妨害電波の存在を知ることはできない。
【０００５】
そこで、本発明は、上記課題に鑑みてなされたものであって、デジタル信号とアナログ信号が混在する状況において、入力された信号の強度とその信号の特徴とを報知することを目的としてなされたものである。
【課題を解決するための手段】
【０００６】
本発明にかかる請求項１の受信機は、
所定の処理が施された信号が入力され、当該入力信号が目的の信号であるか否かを識別する信号識別手段を有する受信機において、
前記信号識別手段による識別結果を報知する識別結果報知手段と、
前記入力信号の強度情報を報知する強度情報報知手段と
を備えている。
請求項２の受信機は、
前記識別結果報知手段は前記識別結果を視覚的情報で表示し、
前記強度情報報知手段は前記強度情報を視覚的情報で表示するように構成されている。
請求項３の受信機は、
前記識別結果と前記強度情報とを表示する一つの表示手段を備えている。
請求項４の受信機は、
前記識別結果と前記強度情報とに基づいて、受信中の当該周波数が使用するのに適切であるか否かを判断する判断手段を備えている。
【発明の効果】
【０００７】
本発明にかかる請求項１の受信機は、識別結果を報知する識別結果報知手段と、入力信号の強度情報を報知する強度情報報知手段とを備えているので、使用者は、受信中の周波数における各種電波の存在状況をより正確に把握することができる。
請求項２の受信機は、前記識別結果報知手段は前記識別結果を視覚的情報で表示し、前記強度情報報知手段は前記強度情報を視覚的情報で表示するように構成されているので、受信中の周波数における各種電波の存在状況をより正確に視覚的に把握することができる。
請求項３の受信機は、前記識別結果と前記強度情報とを表示する一つの表示手段を備えているので、表示手段の構成が簡略化できる。
請求項４の受信機は、前記識別結果と前記強度情報とに基づいて、受信中の当該周波数が使用するのに適切であるか否かを判断する判断手段を備えているので、使用する周波数の決定を能率良く行える。
【発明を実施するための最良の形態】
【０００８】
以下に、本発明にかかる受信機を、その実施の形態を示した図面に基づいて詳細に説明する。
図１において、
受信機５は、受信部51と、同期・復調処理手段52と、スピーカ54とを備えており、アンテナ等から入力された信号は、受信部51において所定の処理が施されて出力される。前記受信部51から出力された信号は同期・復調処理手段52に入力されて同期処理を施し、同期が確立されれば同期処理した信号を出力する。同期・復調処理手段52から出力された信号はスピーカ54から出力されるように構成されている。
【０００９】
同期・復調処理手段52からは同期処理の結果、同期が確立されると同期確立信号が出力され、この同期確立信号は、同期情報表示手段55にて表示される。同期が確立されない場合には同期非確立信号が出力され、この同期非確立信号は同期情報表示手段55にて表示される。以下、アンテナを介して受信した信号に同期が確立されれば、目的とする信号であると識別し、同期が確立されない場合は、目的以外の信号であると識別するものを例にして、本発明を説明するものとする。
受信部51からは受信信号の強度を示すレベル情報が、強度情報表示手段56に出力され、このレベル情報は強度情報表示手段56にて表示される。
なお、同期・復調処理手段52は、受信した信号に予め設定されたＩＤ（例えば、コールサイン等）が含まれているか否かを識別し、当該ＩＤが含まれていると判断した場合、同期が確立するものであってもよい。この場合、同期情報表示手段55には、受信した信号に当該ＩＤが含まれていることを表示するものであってもよい。
【００１０】
以上の構成によって、同期処理が必要とされるデジタル通信中においては、同期確立しているか否を同期情報表示手段55で把握できるとともに、受信部51において受信されている他の信号、例えば同期処理が不要なデジタル信号やアナログ信号等が存在している場合には、その信号強度に応じたレベル信号が受信部51から出力されるので、このレベル信号が強度情報表示手段56にて表示されるのを確認することによって、処理中のデジタル信号以外の信号の存在を把握することができる。
本発明において、受信した信号が目的とする信号であるか否かの識別は、同期の確立の有無によって識別されるものに限定されるものではない。例えば、同期が確立し、且つ、スクランブルパターンが同じ場合に、目的とする信号であると識別するものであってもよいし、デビエーション等から目的とする信号であるか否かを識別するものであてもよい。
また、目的とする信号がアナログＦＭ信号の場合、最大デビエーションを検出すること、あるいは、ＩＦ検波出力の高周波成分を識別することで、受信した信号が目的とする信号であるか、ノイズであるかを識別してもよい。
【００１１】
同期情報表示手段55と強度情報表示手段56をまとめて、同期確立信号と前記レベル信号の両方を同一の表示手段で表示するようにしてもよい。
【００１２】
図１に示した判断手段57は、同期確立信号とレベル信号とが入力され、現在同調中の周波数が、通信に使用するのに適切か不適切かを判断して適／不適を表示する表示機能を備えている。従って、判断手段57に使用が不適切であることが表示されている場合には別の周波数に変更することができる。
なお、通信に使用するのに適切か不適切かの判断の具体例としては、例えば、同期・復調処理手段52が、受信した信号が非同期であると判断し、且つ、受信部51で検出される受信信号のレベルが予め設定された値以上である場合は、通信に使用するのが不適切であると判断するように設定する。
なお、同期情報および強度情報の少なくとも何れか一方は、視覚的に認知可能な形態で表示することに代えて、聴覚的に認知可能な形態や、触覚等の他の感覚で認知可能な形態で報知するようにしてもよい。
【００１３】
なお、受信部51は特許請求の範囲に記載された強度情報報知手段に対応し、同期・復調処理手段52は特許請求の範囲に記載された信号識別手段に対応し、同期情報表示手段55は特許請求の範囲に記載された識別結果報知手段に対応し、強度情報表示手段56は特許請求の範囲に記載された強度情報報知手段に対応している。
【実施例１】
【００１４】
本発明の好適な実施例１を図２に示して説明する。
実施例１の受信機10は、アンテナ11、高周波増幅器12、ミキサー回路13、局部発振回路14、中間周波帯域フィルタ15、中間周波増幅回路16、検波回路17、同期・復調処理部18、スピーカ20、そして受信信号分析部30ａを含んでいる。
受信信号分析部30ａは、受信信号レベル処理部31、Ｓメータ32、制御部33、同期情報表示部34、および分析結果表示部35を含んでいる。
【００１５】
上記構成において、
アンテナ11より入力された信号から所望の周波数の高周波信号が抽出され、抽出された高周波信号は、高周波増幅器12に入力されて、所定のレベルまで増幅される。ミキサー回路13では、高周波増幅器12から入力された高周波信号と局部発振回路14からの信号とを混合して、得られた中間周波信号を中間周波帯域フィルタ15へ出力する。なお、所望の周波数を局部発振回路14で設定する。
そして、中間周波帯域フィルタ15では、入力された中間周波信号から不要波を除去した信号を中間周波増幅回路16へ出力する。
中間周波増幅回路16では、入力された中間周波信号を所定のレベルまで増幅し、前記検波回路17を介して同期・復調処理部18へ出力するとともに、受信信号分析部30ａの受信信号レベル処理部31へ出力する。
【００１６】
同期・復調処理部18では、入力された信号について、同期処理を施し、同期が確立されれば当該信号を復調して同期確立信号を制御部33および同期情報表示部34へ出力する。
同期が確立しない場合には、同期非確立信号を制御部33および同期情報表示部34へ出力する。
【００１７】
次に、受信信号分析部30ａの機能について説明する。
受信信号分析部30ａにおいて、
受信信号レベル処理部31では、中間周波増幅回路16から入力された信号を、増幅し、整流して増幅した受信信号のレベル信号をＳメータ32、および制御部33へ出力する。受信信号レベル処理部31、Ｓメータ32は、特開昭64-16126号公報等に記載されている公知の技術を採用することができる。
なお、本実施例では、受信信号のレベル信号を表示させるのにＳメータ32を採用しているが、Ｓメータに限定されるものではなく、受信信号のレベル信号を数値で示すものであってもよいし、また、受信信号のレベル信号を棒グラフ形式で示すものであってもよい。
そして、同期情報表示部34では、同期・復調処理部18から入力された信号に基づき、受信中の信号が同期信号か非同期信号の何れであるかを表示する。即ち、同期・復調処理部18から入力された信号が同期確立信号である場合には、受信中の信号が同期信号であると表示し、同期・復調処理部18から入力された信号が同期非確立信号である場合には、受信中の信号が非同期信号であると表示するように構成されている。
なお、同期・復調処理手段18は、受信した信号に予め設定されたＩＤ（例えば、コールサイン等）が含まれているか否かを識別し、当該ＩＤが含まれていると判断した場合、同期が確立するものであってもよい。この場合、同期情報表示部34には、受信した信号に当該ＩＤが含まれていることを表示するものであってもよい。
【００１８】
制御部33では、受信信号のレベル信号および同期・復調処理部18からの信号（同期確立信号／同期非確立信号）の情報に基づいて、受信中の当該周波数が通信に使用するのに適切であるか不適（継続して使用することが適切か不適切）であるかを判断する。
受信信号のレベル信号の値が、予め設定されたしきい値を超えているか否か、受信信号が同期信号であるのか非同期信号であるか否か、受信信号がパケット信号であるか否か、受信信号が予め設定された基準時間より長いものであるか否か、等の判断基準に基づいて、妨害となる電波の有無を把握して当該周波数が使用するに適切であるか否かを判断し、その判断結果を分析結果表示部35に表示するのである。
これらの判断のための判断基準としては、受信信号のレベル等の検出にあたっては、検出のアタッチタイム（立ち上がり時間）やレリーズタイム等の設定情報を採用し、これらの設定情報は変更することもできる。
【００１９】
また、判断基準の例として、受信信号がパケット信号等のデジタル信号であるか否かを基準とすることができる。デジタル信号の場合には、送受信電波は短時間の信号となるのことが多いので、このような受信信号であれば目的とする通信に及ぼす影響は少ないと判断できる。しかし、アナログＦＭ波のような比較的長時間の信号の場合には、目的とする通信の効率を著しく低下させる。このような信号の存在に気づかずに通信を行おうとすると通信がうまく行えない場合がある。そこで、このような信号を検出した場合には、当該周波数は使用に不適であると判断して、周波数を変更したり、通信時間を変えたりすることにより、適切な通信を行うことが可能となるのである。
【００２０】
そのため、受信信号のレベルを検出する場合には、通常のパケット通信で行われる１回あたりの送信時間より長時間でのレベル変動を検出するよう構成すると、短時間のデジタル信号の影響を排除してアナログＦＭ波等を効果的に検出することができる。
【００２１】
また、受信周波数帯域が広帯域の受信機の場合には、アナログＦＭ波のような狭帯域の信号は検出しにくい。そこで、アナログＦＭ波を検出するための判断基準としては、ＦＭ検波出力の検波波形が目的とするデジタル信号の検波波形に比べてデビエーション（検波波形）が小さいことに着目して、デビエーションが小さいときに、当該周波数の使用が不適であると判断するようにするとよい。
【００２２】
このようにして、同期情報表示部34では同期処理の結果に基づいて、受信中の信号が同期信号であるか否かを表示するとともに、Ｓメータ32では受信信号のレベルを表示することができる。さらに、制御部33においては、受信信号のレベル信号および同期・復調処理部18からの信号に基づいて、受信中の当該周波数が通信に使用するのに適切であるか不適切であるかを判断してその結果を分析結果表示部35にて表示する。
従って、通信に使用可能な周波数の選択が効率よく行える。
【００２３】
なお、同期・復調処理部18は特許請求の範囲に記載された信号識別手段に対応し、中間周波増幅回路16は特許請求の範囲に記載された強度情報報知手段に対応し、同期情報表示部34は特許請求の範囲に記載された同期情報報知手段に対応し、Ｓメータ32は特許請求の範囲に記載された強度情報報知手段に対応し、制御部33は特許請求の範囲に記載された判断手段に対応している。
【実施例２】
【００２４】
図２に示した実施例１の受信機10で用いられている受信信号分析部30ａでは、Ｓメータ32、同期情報表示部34、分析結果表示部35とが独立して設けられ、それぞれが情報表示部としての機能を果たす構成であるが、本発明はこのような構成に限定されるものではなく、図３で示す受信信号分析部30ｂのように、情報表示部を統合して、受信信号のレベル（強度情報）、同期情報（同期確立信号／同期非確立信号、識別結果）、分析結果情報を、切り替え部37によって切り替えて、一つの表示部38で表示できるような構成としてもよい。この場合、表示部38は特許請求の範囲に記載された表示手段に対応している。
また、受信信号のレベルと同期情報（同期確立信号／同期非確立信号）とを切り替えて一つの表示部で表示させ、分析結果情報は別途設けた表示部に表示させる構成としてもよい。
以上のように情報表示部を統合する場合には、各情報の区別は、例えば色、あるいは表示のドット形状の区別、または、目的とする信号電波が受信されている時には青色表示とし、妨害波が受信されている時には赤色表示としてもよい。
【００２５】
以上のように、本発明の実施形態としては、同期処理の結果に基づいて、受信中の信号が同期信号であるか否かを表示するとともに、受信信号のレベルを表示することができる構成であればよい。さらに、受信信号のレベル信号および同期処理の結果に基づいて受信中の当該周波数が通信に使用するのに適切であるか不適切であるかを判断してその結果を表示するように構成された受信機であればよい。
【実施例３】
【００２６】
以下に、図４に示した実施例３にかかる受信機40を説明する。
受信機40は、アンテナ41、高周波増幅器42、ミキサー回路43、局部発振回路44、中間周波帯域フィルタ45、中間周波増幅回路46、検波回路47、信号強度検出部48、目的信号識別部49、表示切替部60、信号強度表示部61、および、識別結果表示部62を含む。
【００２７】
アンテナ41より入力された信号から所望の周波数の高周波信号が抽出され、抽出された高周波信号は、高周波増幅器42に入力され、所定のレベルまで増幅される。ミキサー回路43は、高周波増幅器42から入力された高周波信号と局部発振回路44から入力される信号とを混合して、中間周波信号を中間周波増幅回路46に出力する。
中間周波増幅回路46は、中間周波信号を増幅し、検波回路47と信号強度検出部48とに出力する。
【００２８】
信号強度検出部48は、入力された信号の強度を検出して得た受信信号レベルを表示切替部60に出力する。
信号強度検出部48からの受信信号レベルが入力され、且つ受信信号レベルを表示させることが指示されている場合、表示切替部60は、受信信号レベルを信号強度表示部61に出力し、信号強度表示部61は受信信号レベルを表示する。
【００２９】
検波回路47は、中間周波増幅回路46から入力された中間周波信号を検波して、目的信号識別部49に出力する。目的信号識別部49は、入力された信号が目的とする信号であるか否かを識別して得られた識別結果を表示切替部60に出力する。
目的信号識別部49からの識別結果が入力され、且つ識別結果を表示させることが指示されている場合、表示切替部60は、識別結果を識別結果表示部62に出力し、識別結果表示部62は識別結果を表示する。
以上のように、受信信号レベルを信号強度表示部61で表示し、識別結果を識別結果表示部62で表示することができるのである。
なお、目的信号識別部49は信号識別手段に対応している。また、表示切替部60、信号強度表示部61、および識別結果表示部62は表示手段に対応している。また、信号強度表示部61は強度情報報知手段に、識別結果表示部62は識別結果報知手段にそれぞれ対応している。
【産業上の利用可能性】
【００３０】
本発明は、デジタル信号とアナログ信号とが混在する状況下で用いられる種々の受信機、例えば、アマチュア無線や業務無線等の受信機に広く採用することができる。
【図面の簡単な説明】
【００３１】
【図１】本発明にかかる受信機の実施の形態の構成を示した構成図である。
【図２】本発明の実施例１の構成図である。
【図３】本発明の実施例２の要部の構成図である。
【図４】本発明の実施例３の要部の構成図である。
【符号の説明】
【００３２】
5   受信機
51  受信部
52  同期・復調処理手段、信号識別手段
55  同期情報表示手段、識別結果報知手段
56  強度情報表示手段、強度情報報知手段
57  判断手段
10  受信機
16  中間周波増幅回路
17  検波回路
18  同期・復調処理部、信号識別手段
30ａ  受信信号分析部
31  受信信号レベル処理部
32  Ｓメータ、強度情報報知手段
33  制御部、判断手段
34  同期情報表示部、識別結果報知手段
35  分析結果表示部
38  表示部、表示手段
40  受信機
48  信号強度検出部
49  目的信号識別部、信号識別手段
60  表示切替部、表示手段
61  信号強度表示部、強度情報報知手段、表示手段
62  識別結果表示部、識別結果報知手段、表示手段
【図１】
2006238411.tif 000003
【図２】
2006238411.tif 000004
【図３】
2006238411.tif 000005
【図４】
2006238411.tif 000006